(57)【要約】  【課題】封筒等の郵送用、ダイレクトメール等の輸送用、或いは展示会等において配布されたカタログ等が収納されて、そのまま持ち帰ることができる手提げ用袋等として使用され、使用後は被包装物の整理、保管等用として再利用することのできるような樹脂製の包装用袋を提供することを課題とする。  【解決手段】袋本体内に被収納物を収納可能な収納部が形成され、該被収納物を前記収納部内に収納して使用した一次使用後において、前記袋本体の向きを変えることで該袋本体を吊り下げることができるように前記袋本体の上部に位置しうる吊下部が、前記袋本体に連設されていることを特徴とする。【選択図】図１
2009234597.tif 000002
【特許請求の範囲】
【請求項１】
袋本体（１）内に被収納物を収納可能な収納部（３）が形成され、該被収納物を前記収納部（３）内に収納して使用した一次使用後において、前記袋本体（１）の向きを変えることで該袋本体（１）を吊り下げることができるように前記袋本体（１）の上部に位置しうる吊下部（１０）が、前記袋本体（１）に連設されていることを特徴とする包装用袋。
【請求項２】
吊下部（１０）に、吊杆（１２）を挿通可能な吊り下げ用孔（１１）が穿設されている請求項１記載の包装用袋。
【請求項３】
吊下部（１０）に、基材（１３）の両面に接着剤（１４）、（１５）を有する両面接着テープが設けられている請求項１記載の包装用袋。
【請求項４】
袋本体１の一片（１ａ）側は、宛先、宛名を表示可能に構成され、前記袋本体１の他片（１ｂ）側は、透明な状態に構成されている請求項１乃至３のいずれかに記載の包装用袋。
【発明の詳細な説明】
【技術分野】
【０００１】
本発明は包装用袋、さらに詳しくは、合成樹脂フィルム等からなる包装用袋であって、封筒等の郵送用、ダイレクトメール等の輸送用、或いは展示会等において配布されたカタログ等が収納されて、そのまま持ち帰ることができる手提げ用袋等として使用され、使用後は被包装物の整理、保管等用として再利用することのできるような包装用袋に関する。
【背景技術】
【０００２】
合成樹脂等の樹脂フィルムからなる包装用袋は、従来から種々の用途に用いられており、たとえば紙封筒に代えて郵送用として樹脂製の封筒が使用されつつある。このような樹脂製の封筒は、フィルムに着色や印刷を施すことができ、またコストも紙封筒に比べて安価になることから、需要が増大しつつある。このような樹脂製の封筒に関するものとして、たとえば下記特許文献１や特許文献２のような特許出願がなされている。また、フィルムが透明であることにより封入物を透視させることができる等の紙製の袋にはない特性があるので、近年では特にダイレクトメール用等の輸送用袋も普及しつつある。
【０００３】
さらに、展示会等においては複数のカタログ等が配布され、それらを持参して持ち帰る便宜のために、樹脂製フィルムからなる袋が利用されることもある。このような袋も
製作コストが安価であるので、展示会等の主催者が、カタログ等とともに持ち帰り用として無償で提供したとしても、それに要するコストの面で特に問題となるようなこともなく、むしろ無償でカタログ等を提供した後の販売促進効果によってもたらされる利益の方が大きいものと認識されている。従って、このような樹脂製フィルムからなる包装用袋の利用頻度も大きいものである。
【０００４】
このような持ち帰り用の袋として手提げ袋が使用されており、そのような手提げ袋に関するものとして、たとえば下記特許文献３乃至特許文献５のような特許出願がなされている。
【０００５】
【特許文献１】特開２００３−４０２７９号公報
【特許文献２】特開２０００−３０２１３７号公報
【特許文献３】特開２００３−５４５８４号公報
【特許文献４】特開平１１−３１０２５２号公報
【特許文献５】特開平９−２５５００２号公報
【０００６】
しかしながら、上記のような樹脂製の封筒やダイレクトメール用等の樹脂製輸送用袋は、郵送用若しくは輸送用として使用された後は、再利用されることはなく、そのまま廃棄されていた。また手提げ袋は、繰り返して使用できるような形態に形成されているものではあるが、上記のような展示会等でカタログ等とともに配布されるような持ち帰り用の袋は、本来使い捨てを前提として、特に手提げ部分の強度等を考慮することなく、全体を樹脂フィルムで構成する等、コストが安価になるよう製作されているものであるため、実際には再利用されていない。
【０００７】
尚、ポリエチレンテレフタレート等の一部の合成樹脂については、溶融して再生し、別種の製品に成形して再利用するような技術も開発されている。しかし、このような再生する技術を実施すること自体にコストがかかり、汎用性の合成樹脂であるポリエチレンやポリプロピレンについては、溶融、再生等の技術は実施されておらず、燃焼等によって廃棄処理されていたのが現状である。
【０００８】
このように合成樹脂製品を燃焼して廃棄処理することは、紙の場合と相違し、燃焼による排気ガスが環境にもたらす影響が懸念される。
【発明の開示】
【発明が解決しようとする課題】
【０００９】
本発明は、このような問題点を解決するためになされたもので、封筒等の郵送用、ダイレクトメール等の輸送用、或いは展示会等において配布されたカタログ等が収納されて、そのまま持ち帰ることができる手提げ用袋等として使用され、使用後は被包装物の整理、保管等用として再利用することのできるような樹脂製の包装用袋を提供することを課題とする。
【課題を解決するための手段】
【００１０】
本発明は、このような課題を解決するためになされたもので、袋本体内に被収納物を収納可能な収納部が形成され、該被収納物を前記収納部内に収納して使用した一次使用後において、前記袋本体の向きを変えることで該袋本体を吊り下げることができるように前記袋本体の上部に位置しうる吊下部が、前記袋本体に連設されていることを特徴とする包装用袋を提供する。
【００１１】
吊下部には、たとえば吊杆を挿通可能な吊り下げ用孔が穿設され、或いは基材の両面に接着剤を有する両面接着テープが設けられている。また、袋本体１の一片側は宛先、宛名が表示可能に構成され、袋本体の他片側は、透明な状態に構成されることが好ましい。
【発明の効果】
【００１２】
本発明は、上述のように、袋本体内に被収納物を収納可能な収納部が形成され、該被収納物を前記収納部内に収納して使用した一次使用後において、前記袋本体の向きを変えることで該袋本体を吊り下げることができるように前記袋本体の上部に位置しうる吊下部が、前記袋本体に連設されているものであるため、このような包装用袋を使用する場合には、収納部に被収納物を収納して、たとえば郵便物を郵送する封筒として、又はダイレクトメール等用の輸送用袋として、或いは展示会等においては複数のカタログ等とともに持ち帰るための袋として使用することができ、そのような一次使用後、袋本体の向きを変えて吊下部を上部側に位置させ、その上部側に位置させた吊下部によって、袋本体を吊り下げることができ、収納部に収納されていた被収納物をそのまま収納した状態で、或いは一次使用時の被収納物を別の被収納物と入れ換える等によって、それらの被収納物の整理用、保管用等、二次使用の袋として有効利用を図ることができる。
【００１３】
この結果、郵送用、輸送用、或いは持ち帰り用等として使用された樹脂製等の包装用袋を、その使用後において、上記のような吊下部における吊下手段により、整理袋、保管袋等として再利用することができ、その結果、郵送用、輸送用、持ち帰り用等として使用された後に廃棄される可能性が少なくなり、ひいては環境保護に寄与することになるという効果がある。
【発明を実施するための最良の形態】
【００１４】
以下、本発明の実施形態について図面に従って説明する。
【００１５】
（実施形態１）
本実施形態の包装用袋は、郵送用の袋、すなわち封筒として使用されるもので、図１乃至図３に示すように、袋本体１の全体が透明な樹脂製フィルムからなり、該袋本体１の上部には開口部２が形成され、該開口部２より下側には、被収納物を収納する収納部３が形成されている。そして、袋本体１を構成する樹脂製フィルムからなる一片１ａ及び他片１ｂのうち、一片１ａが他片１ｂより前記開口部２の上部に延長されて封緘片４が形成されている。樹脂フィルムとしては、たとえばポリプロピレン、ポリエチレン等のような汎用性の合成樹脂製のフィルムを使用することができ、またポリ乳酸等のいわゆる生分解性フィルムのようなものを用いることもできる。封緘片４の内面側には接着剤６を介して離型材７が設けられている。
【００１６】
袋本体１の一片１ａ側には、白色のマットインクが塗布されて、宛先、宛名等を筆記可能とされ、或いは印刷可能とされている。そして、この一片１ａ側の上部左側には、図１に示すように、料金後納郵便等の郵便表示２０がなされている。袋本体１の他片１ｂ側は、このようなマットインクの塗布等がなされることなく、透明な状態に維持されている。
【００１７】
また、袋本体１を構成する樹脂製フィルムは底部で折り曲げられており、その袋本体１の底部における一片１ａと他片１ｂ間には合成紙からなる補強片９が挿入され、該補強片９の上端部と袋本体１の一片１ａ及び他片１ｂとが、熱シール、超音波シ―ル等によってシールされることにより区画シール部８が形成されている。そして、この区画シール部８より下部の補強片９と袋本体１の一片１ａ、他片１ｂとで吊下部１０が形成され、該吊下部１０の略中央に吊り下げ用孔１１が穿設されている。
【００１８】
そして、このような構成からなる包装用袋を使用する場合には、封緘片４から離型材７を剥離するとともに、図４に示すように前記開口部２から袋本体１の収納部３内に被収納物５を収納した後、接着剤６を介して封緘片４を袋本体１の他片１ｂ側に接着する。このように被収納物５を収納した状態で、たとえばダイレクトメール等用の郵送用の封筒として送信する等のように使用することができる。
【００１９】
このような封筒を受信した受信者は、透明な状態に維持された袋本体１の他片１ｂ側を介して外部から被収納物５を透視し、一見して、被収納物５を確認する作業を急ぐ必要がないと判断した場合には、後日、被収納物５の内容を詳細に確認することを前提として、封緘片４を袋本体１の他片１ｂ側から離脱させずに、被収納物５を収納部３内に収納したままの状態で、図５及び図６に示すように袋本体１を反転させ、吊杆１２を吊り下げ用孔１１に挿通させ、包装用袋を吊り下げることによって、整理、保管等用の袋として使用される。このとき、袋本体１は上下を反転させるだけでなく、表裏も反転させる。
【００２０】
すなわち、封筒としての一次使用時には、袋本体１の一片１ａ側に、宛先、宛名等が筆記、或いは印刷されて表示され、その袋本体１の一片１ａ側が専ら使用されるが、その一次使用後、整理、保管等用の袋としての二次使用時においては、袋本体１の表裏を反転させることで図５に示すように袋本体１の他片１ｂが正面側を向くことになる。
【００２１】
この場合において、袋本体１の他片１ｂ側には、一片１ａ側のように白色のマットインクが塗布されておらず、透明の状態に維持されているため、たとえば被収納物５がダイレクトメールのパンフレットのようなものである場合、そのパンフレットに表示された会社名２１や商品名２２が、図５に示すように透明な袋本体１の他片１ｂの表面側に透視されて現出されることとなる。
【００２２】
従って、受信者においては、上記のような一次使用としての封筒の受信時において、袋本体１の一片１ａ側に表示された自己の宛先、宛名を確認するとともに、透明な袋本体１の他片１ｂ側を介して被収納物５の会社名２１や商品名２２等の表示を、袋本体１を開封することなく外部から視認することができる。そして、上記のように、透明な袋本体１の他片１ｂ側から被収納物５を透視し、被収納物５を確認する作業を急ぐ必要がないと判断した場合には、受信者は袋本体１を直ちに開封せずとも、後日、被収納物５の内容を詳細に確認することを前提として、その袋本体１の他片１ｂを正面側に向けて、上記のように吊杆１２を吊り下げ用孔１１に挿通させ、包装用袋を吊り下げることによって、被収納物５の表示内容を視認できる状態で保管しておくことができる。
【００２３】
このため、後日袋本体１を開封して被収納物５の詳細な内容を確認することを忘れるようなこともないのである。また袋本体１を開封することなく、透明な袋本体１の他片１ｂ側を介して被収納物５の表示を外部から視認することができ、そのように視認できる状態で上記のように包装用袋を吊り下げて整理、保管しておくことができるので、一般に受信者に受信された後に直ちに廃棄され易いダイレクトメールのようなものであっても、本実施形態の包装用袋が用いられることで、廃棄される可能性も少なくなる。
【００２４】
一方、上記のような一次使用としての封筒の受信後に、受信者が袋本体１を直ちに開封することも可能である。すなわち、封緘片４を袋本体１の他片１ｂ側から離脱させ、被収納物５を収納部３から取り出して、送信された被収納物５の表示内容を確認することができる。この場合でも、受信者は被収納物５の表示内容を一読しただけで、再度詳細に判読したいような場合にも、受信者は受信した被収納物５を再度収納部３内に収納し、封緘片４を閉じた状態で、袋本体１の下部に位置していた吊下部１０が上部に位置するように、且つ袋本体１の他片１ｂが正面側を向くように袋本体１を反転させ、所定の場所に設けられている吊杆１２を、吊下部１０の吊り下げ用孔１１に挿通させることによって、包装用袋が所定の場所に吊り下げられることとなり、その状態で整理、保管等用の袋として使用される。
【００２５】
このように、送信されてきた被収納物５を、後日詳細に確認する等の目的で、袋本体１の他片１ｂを正面側に向けて、吊杆１２を吊り下げ用孔１１に挿通させ、包装用袋を吊り下げることによって、被収納物５の表示内容を視認できる状態で保管することができるの
であるが、送信された被収納物５の内容を確認した後、別の被収納物を収納部３内に収納して、同様に吊り下げて、整理、保管等用の袋として使用することもできる。
【００２６】
いずれにしても、ダイレクトメール等の郵送用の封筒としての一次使用後は、受信者側によって所定の場所に吊り下げて、整理、保管等する二次使用の袋として使用することができる。
【００２７】
このように、本実施形態の包装用袋は、ダイレクトメール等の郵送用の封筒として、送信者側に使用される他、これを受信した受信者側においては、所定の場所に吊り下げることで、整理、保管用の袋として再利用することができる。このため、受信者側において直ちに廃棄されるような可能性が少なくなり、ひいては環境保護にも寄与することとなる。
【００２８】
（実施形態２）
本実施形態においては、袋本体１の底部における一片１ａと他片１ｂ間に補強片９が挿入されておらず、図７に示すように、袋本体１を構成する樹脂製フィルムが底部で折り曲げられ、その袋本体１の底部における一片１ａと他片１ｂのみがシールされて区画シール部８が形成されている。この点で、袋本体１の底部における一片１ａと他片１ｂ間に補強片９が挿入され、該補強片９の上端部と袋本体１の一片１ａ及び他片１ｂとがシールされて区画シール部８が形成されていた上記実施形態１と相違する。
【００２９】
この結果、本実施形態では、吊下部１０に補強片９が具備されていないことになるので、二次使用時に包装用袋を吊り下げる場合における吊下部１０の強度が上記実施形態１に比べて劣ることになる。しかしながら、袋本体１の底部における一片１ａと他片１ｂのみをシールして区画シール部８が形成されるので、包装用袋の製造が容易となり、製造工程が簡易化される。
【００３０】
袋本体１の上部に開口部２が形成され、該開口部２より下側に収納部３が形成されている点、袋本体１の一片１ａが他片１ｂより開口部２の上部に延長されて封緘片４が形成されている点、封緘片４の内面側には接着剤６を介して離型材７が設けられている点、袋本体１の一片１ａ側に白色のマットインクが塗布されている点等は、上記実施形態１と共通している。
【００３１】
（実施形態３）
本実施形態においては、開口部２が袋本体１の下部に形成されており、この点で、袋本体１の上部に開口部２が形成されていた上記実施形態１の場合と相違する。すなわち本実施形態では、上記区画シール部８の直近の上部に開口部２が形成され、図９に示すように、該開口部２を開閉するための封緘片４が、前記区画シール部８の上部に延長されて形成されている。封緘片４の内面側に接着剤６を介して離型材７が設けられている点は、上記実施形態１等と同様である。
【００３２】
また、図８及び図９に示すように、袋本体１の底部における一片１ａと他片１ｂ間に補強片９が挿入され、該補強片９の上端部と袋本体１の一片１ａ及び他片１ｂとが、シールされて区画シール部８が形成され、該区画シール部８より下部が吊下部１０として形成され、該吊下部１０に吊り下げ用孔１１が穿設されているこれらの点で上記実施形態１と共通する。
【００３３】
本実施形態の包装用袋を使用する場合には、封緘片４から離型材７を剥離するとともに、図１０に示すように、袋本体１の下部の開口部２から収納部３内に被収納物５を収納し、接着剤６を介して封緘片４を袋本体１の他片１ｂ側に接着する。このように収納部３内に被収納物５を収納し、封緘片４で開口部２を封緘した状態で、上記実施形態１と同様に、郵送用の封筒等として使用することができる。
【００３４】
そして、郵送用の封筒としての包装用袋を受信した受信者は、上記実施形態１と同様に
封緘片４を袋本体１の他片１ｂ側から離脱させずに、被収納物５を収納部３内に収納したままの状態で、図１１及び図１２に示すように袋本体１の上下及び表裏を反転させ、吊杆１２を吊り下げ用孔１１に挿通させ、包装用袋を吊り下げる。
【００３５】
このように反転させた状態で包装用袋を吊り下げることによって、整理、保管等用の袋としての二次使用時において、透明な袋本体１の他片１ｂが正面側を向くことになり、図１１に示すように、被収納物５（パンフレット）に表示された会社名２１や商品名２２が、透明な袋本体１の他片１ｂの表面側に透視されて現出されることとなる。従って、受信者は、上記実施形態１と同様に、袋本体１を直ちに開封せずとも、その袋本体１の他片１ｂを正面側に向けて、上記のように吊杆１２を吊り下げ用孔１１に挿通させ、包装用袋を吊り下げることによって、被収納物５の表示内容を視認できる状態で保管しておくことができる。
【００３６】
また、一次使用としての封筒の受信後に、受信者が袋本体１を直ちに開封して被収納物５を取り出すことも可能であり、その場合は、受信者は後日被収納物５を詳細に確認することを前提に再度収納部３内に収納し、封緘片４を閉じた状態で同様に袋本体１を反転させ、包装用袋を所定の場所に吊り下げて整理、保管等用の袋として使用することができる。或いは、被収納物５を収納部３から取り出し、別の被収納物を収納部３内に収納して、吊り下げることもできる。
【００３７】
従って、本実施形態においても、上記実施形態１と同様に、ダイレクトメール等の郵送用の封筒としての使用目的が達成された後は、受信者側によって所定の場所に吊り下げて、整理、保管等する袋として使用することができるので、受信者側において直ちに廃棄されるような可能性が少なくなり、ひいては環境保護にも寄与することとなる。
【００３８】
（実施形態４）
本実施形態においては、吊下部１０に吊り下げ用孔１１が穿設されておらず、このような吊り下げ用孔１１に代えて両面接着テープが吊り下げ手段として採用されている。この点で、吊り下げ用孔１１が吊り下げ手段として採用されていた上記実施形態１乃至３と相違する。
【００３９】
すなわち、本実施形態においては、図１３及び図１４に示すように、基材１３の両面に接着剤１４、１５が設けられた両面接着テープが、その一方の接着剤１４を介して吊下部１０の片面側に接着されている。この一方の接着剤１４を介して両面接着テープが接着される面は、袋本体１の一片１ａが区画シール部８を介して下方に延長されたフィルム側の面である。そして、両面接着テープの他方の接着剤１５を介して離型材１６が設けられている。
【００４０】
袋本体１の上部に開口部２が形成され、該開口部２より下側に収納部３が形成されている点、袋本体１の一片１ａが他片１ｂより開口部２の上部に延長されて封緘片４が形成されている点、封緘片４の内面側には接着剤６を介して離型材７が設けられている点、袋本体１の一片１ａ側に白色のマットインクが塗布されている点、袋本体１の底部における一片１ａと他片１ｂ間に補強片９が挿入され、該補強片９の上端部と袋本体１の一片１ａ及び他片１ｂとが、シールされて区画シール部８が形成され、該区画シール部８より下部が吊下部１０として形成されている点等は、上記実施形態１と共通する。
【００４１】
本実施形態においても、包装用袋の使用時には、封緘片４から離型材７を剥離するとともに、図１５に示すように袋本体１の収納部３内に被収納物５を収納し、接着剤６を介して封緘片４を袋本体１の他片１ｂ側に接着する。このように収納部３内に被収納物５を収納し、封緘片４で開口部２を封緘した状態で、上記実施形態１と同様に、郵送用の封筒等として使用することができる。
【００４２】
郵送用の封筒としての包装用袋を受信した受信者は、上記実施形態１と同様に封緘片４を袋本体１の他片１ｂ側から離脱させずに、被収納物５を収納部３内に収納したままの状態で、図１６に示すように袋本体１の上下及び表裏を反転させて包装用袋を吊り下げる。この場合、本実施形態では、吊り下げ手段として上記実施形態１乃至３のような吊り下げ用孔１１ではなく、両面接着テープが採用されているので、その両面接着テープを介して
壁面１７に貼着されることによって包装用袋が吊り下げられることとなる。
【００４３】
より具体的には、壁面１７に貼着する前に離型材１６を基材１３から剥離して、接着剤
１５を裸出させ、その接着剤１５を介して包装用袋の吊下部１０が壁面１７に貼着されることとなる。
【００４４】
本実施形態においても、上記のように反転させた状態で包装用袋を吊り下げることによって透明な袋本体１の他片１ｂが正面側を向くので、袋本体１を直ちに開封せずとも、その袋本体１の他片１ｂを正面側に向けて、上記のように包装用袋を吊り下げることによって、被収納物５の表示内容を視認できる状態で保管しておくことができる。
【００４５】
また、一次使用としての封筒の受信後に直ちに袋本体１を開封して被収納物５を再度収納部３内に収納し、封緘片４を閉じた状態で同様に袋本体１を反転させて吊り下げることも可能であり、さらに被収納物５を収納部３から取り出し、別の被収納物を収納部３内に収納して、吊り下げることも可能である点も上記実施形態１等と同様である。
【００４６】
従って、本実施形態においても、上記実施形態１と同様に、ダイレクトメール等の郵送用の封筒としての使用目的が達成された後は、受信者側によって所定の場所に吊り下げて、整理、保管等する袋として使用することができるので、受信者側において直ちに廃棄されるような可能性が少なくなり、ひいては環境保護にも寄与することとなる。
【００４７】
（実施形態５）
本実施形態においては、袋本体１の底部における一片１ａと他片１ｂ間に補強片９が挿入されておらず、図１７に示すように、袋本体１を構成する樹脂製フィルムが底部で折り曲げられ、その袋本体１の底部における一片１ａと他片１ｂのみがシールされて区画シール部８が形成されている。この点で上記実施形態２と共通するとともに、袋本体１の底部における一片１ａと他片１ｂ間に補強片９が挿入され、該補強片９の上端部と袋本体１の一片１ａ及び他片１ｂとがシールされて区画シール部８が形成されていた上記実施形態１、４等と相違する。
【００４８】
吊下部１０に補強片９が具備されていないので、二次使用時に包装用袋を吊り下げる場合における吊下部１０の強度が劣ることになる反面、補強片９が存在しない分、包装用袋の製造が容易となり、製造工程が簡易化される点も、実施形態２と共通する。
【００４９】
本実施形態においては、吊り下げ手段として吊り下げ用孔ではなく両面接着テープが採用されており、この点で上記実施形態４と共通する。従って、本実施形態においても、二次使用時に離型材１６を基材１３から剥離して接着剤１５を裸出させ、その接着剤１５を介して包装用袋の吊下部１０を壁面１７に貼着することによって包装用袋が吊り下げられることとなる。
【００５０】
（実施形態６）
本実施形態においては、図１８に示すように開口部２が袋本体１の下部に形成されており、この点で上記実施形態３と共通するとともに、袋本体１の上部に開口部２が形成されていた上記実施形態１、４、５等と相違する。すなわち本実施形態では、区画シール部８の直近の上部に開口部２が形成され、図１８のように封緘片４が区画シール部８の上部に延長されて形成されている。この点は上記実施形態３と同様である。
【００５１】
一方、本実施形態では、吊り下げ手段として吊り下げ用孔ではなく両面接着テープが採用されており、この点で上記実施形態４、５と共通する。従って、本実施形態においても、二次使用時には袋本体１の上下及び表裏を反転させ、離型材１６を基材１３から剥離して接着剤１５を裸出させ、その接着剤１５を介して包装用袋の吊下部１０を壁面１７に貼着することによって包装用袋が吊り下げられることとなる。
【００５２】
（実施形態７）
本実施形態においては、袋本体１を構成する樹脂製フィルムが底部で折り曲げられておらず、切断されて２枚のフィルムの状態とされており、この点で上記実施形態１乃至６と相違している。そして、その切断された２枚のフィルム間に両面接着テープが具備された構造とされている。
【００５３】
すなわち、本実施形態では、図１９及び図２０に示すように袋本体１の底部における一片１ａと他片１ｂとが区画シール部８でシールされており、その区画シール部８の下方に一片１ａと他片１ｂとが延長されて延長片１６、１８が形成されている。該区画シール部８の下方の他片１ｂ側の延長片１８に、両面接着テープの他方の接着剤１５を介して基材１３が接着され、該基材１３の反対側の面が、一方の接着剤１４を介して前記区画シール部８の下方の一片１ａ側の延長片１６に接着されている。
【００５４】
そして、該下方の一片１ａの区画シール部８に近い位置には、図１９及び図２０に示すようにミシン目１９が形成され、そのミシン目１９より下側の延長片１６が分断されるように構成されている。すなわち、本実施形態においては、区画シール部８の下方に延長される一片１ａ側の延長片１６は、ミシン目１９を介して分断されることによって、両面接着テープ離型材として機能するように構成されている。
【００５５】
従って、本実施形態では、包装用袋の一次使用時には、封緘片４から離型材７を剥離するとともに袋本体１の収納部３内に被収納物５を収納し、接着剤６を介して封緘片４を袋本体１の他片１ｂ側に接着し、そのように封緘片４で開口部２を封緘した状態で郵送用の封筒等として使用することができ、一次使用後、二次使用時には、図２１に示すように、区画シール部８の下方に延長された一片１ａ側の延長片１６をミシン目１９の位置から分断して両面接着テープから除去し、両面接着テープの一方の接着剤１４を裸出させる。
【００５６】
そして、袋本体１の上下及び表裏を反転させ、図２２に示すように裸出した接着剤１５を介して包装用袋の吊下部１０を壁面１７に貼着することによって、包装用袋を吊り下げ、被収納物５の表示内容を視認できる状態で保管しておくことができる。
【００５７】
（実施形態８）
本実施形態では、袋本体１の底部における一片１ａと他片１ｂとが区画シール部８でシールされ、その点で上記実施形態７と共通するが、該区画シール部８の下方には他片１ｂのみが延長されて１８が形成されており、一片１ａ側の延長片は形成されていない。この点で、区画シール部８の下方に一片１ａ側と他片１ｂ側の双方が延長されてそれぞれ延長片１６、１８が形成されていた上記実施形態７の場合と相違する。
【００５８】
基材１３の両面に接着剤１４、１５が設けられた両面接着テープが具備されている点は上記実施形態７と共通するが、該実施形態７のような一片１ａ側の延長片１６が形成されていないので、本実施形態では、離型材１６が他方の接着剤１５側に設けられている。このような離型材１６が設けられている点では、上記実施形態４乃至６と共通する。
【００５９】
従って、本実施形態においても、二次使用時には袋本体１の上下及び表裏を反転させ、離型材１６を基材１３から剥離して接着剤１５を裸出させ、その接着剤１５を介して包装用袋の吊下部１０を壁面に貼着することによって包装用袋が吊り下げられることとなる。
【００６０】
（その他の実施形態）
尚、袋本体１の開口部２の位置は、上記実施形態１、２、４、５、７、８のように袋本体１の上部に形成されていてもよく、また実施形態３、６のように袋本体１の下部に形成されていてもよく、その位置は問わない。
【００６１】
さらに、袋本体１を構成する樹脂フィルムの材質も、上記ポリプロピレン、ポリエチレン等のような汎用性の合成樹脂製フィルムに限らず、これら以外の合成樹脂製フィルムを使用することも可能である。また合成樹脂製フィルムに限らず、天然樹脂製のフィルムを用いることも可能である。
【００６２】
さらには、生分解性フィルムを使用することも可能であり、その場合には、吊り下げ用袋として再利用した後にも、土中等において生分解させることができるので、環境保護により適した袋を提供しうるという効果がある。生分解性フィルムとしては、環境に与える影響が少ないことから上記のようなポリ乳酸を用いることが望ましいが、ポリ乳酸以外の生分解性フィルムを用いることも可能である。また、２枚以上の合成樹脂製フィルムをラミネートしたラミネートフィルムのようなものを用いることも可能である。さらには、たとえば紙のような樹脂以外の素材を樹脂に貼着して複合化させた複合化フィルムのようなものを用いることも可能である。
【００６３】
さらに、上記実施形態では、袋本体１の一片１ａ側に、白色のマットインクを塗布し、
他片１ｂ側は透明な状態に維持したため、一次使用時の郵送用、輸送用等として使用する際には、その一片１ａ側に宛先、宛名等を筆記することができ、一次使用後、二次使用時である整理、保管用の袋として使用する場合には、袋本体１を反転させて、上記のように吊下部１０で袋本体１を吊り下げるとともに、白色のマットインクが塗布された袋本体１の一片１ａを背面側に位置させ、透明な袋本体１の他片１ｂを正面側に位置させることで、被収納物５に表示された内容を、吊り下げた状態のままで包装用袋の外部から視認することができるという好ましい効果が得られたが、このように、袋本体１の一片１ａ側に白色のマットインクを塗布し、他片１ｂ側を透明な状態に維持することは本発明に必須の条件ではない。
【００６４】
さらに、上記実施形態１では、袋本体１の一片１ａを他片１ｂより延長して封緘片４を形成したが、他片１ｂを一片１ａより延長して封緘片４を形成することも可能であり、いずれを延長して封緘片４を形成するかは問うものではない。ただし、郵送用等として使用する場合には、宛先、宛名が封緘片４で覆われることのないように、宛先、宛名を表示する一片１ａ側を他片１ｂより延長して封緘片４を形成するのが望ましい。
【００６５】
さらに、上記実施形態では、吊下部１０を袋本体１の下部に形成する場合について説明したが、たとえば横長の洋封筒のようなものの場合、吊下部１０を袋本体１の側部に形成することも可能である。この場合には、たとえば袋本体１の両側部のシール部のうち、一方のシール部を他方のシール部よりも幅広に形成し、その幅広に形成したシール部に吊り下げ用孔を穿設することによって吊下部１０が形成される。この場合には、上記各実施形態のように袋本体１を反転させるのではなく、袋本体１の向きを９０度変えることによって吊下部１０を上部に位置させることが可能となり、袋本体１を吊り下げることが可能となる。
【００６６】
さらに、包装用袋の用途も、上記実施形態１、２のような郵送用の封筒に限定されるものではなく、たとえばメール便や宅配便等の輸送用の袋のようなものであってもよく、また手提げ用の袋であってもよく、さらにはこれら以外の用途の包装用袋であってもよい。従って、包装用袋の形態も用途に応じて適宜変更することができ、上記各実施形態のように封緘片４を有する形態のものの他、たとえば手提げ用の孔を有するもの等、種々の形態の包装用袋に本発明を適用することができる。
【００６７】
さらに、吊り下げる袋として再利用する場合の被収納物の種類も問うものではない。その他、本発明の意図する範囲内で任意に設計変更可能である。
【図面の簡単な説明】
【００６８】
【図１】一実施形態としての包装用袋の正面図。
【図２】同背面図。
【図３】図１のＡ−Ａ線断面図。
【図４】封緘片を封緘して被収納物を収納部内に収納した状態の断面図。
【図５】袋本体を反転して吊下部を上部に位置させた状態の正面図。
【図６】図５のＢ−Ｂ線断面図。
【図７】他実施形態の包装用袋の断面図。
【図８】他実施形態の包装用袋の正面図。
【図９】図８のＣ−Ｃ線断面図。
【図１０】封緘片を封緘して被収納物を収納部内に収納した状態の断面図。
【図１１】袋本体を反転して吊下部を上部に位置させた状態の正面図。
【図１２】図１１のＤ−Ｄ線断面図。
【図１３】他実施形態の包装用袋の正面図。
【図１４】図１３のＥ−Ｅ線断面図。
【図１５】封緘片を封緘して被収納物を収納部内に収納した状態の断面図。
【図１６】袋本体を反転して吊下部を上部に位置させ、壁面に貼着した状態の断面図。
【図１７】他実施形態の包装用袋の断面図。
【図１８】他実施形態の包装用袋の断面図。
【図１９】他実施形態の包装用袋の正面図。
【図２０】図１９のＦ−Ｆ線断面図。
【図２１】封緘片を封緘して被収納物を収納部内に収納し、離型材を剥離した状態の断面図。
【図２２】袋本体を反転して吊下部を上部に位置させ、壁面に貼着した状態の断面図。
【図２３】他実施形態の包装用袋の断面図。
【符号の説明】
【００６９】
１  袋本体
２  開口部
３  収納部
５  被包装物
１０  吊下部
１１  吊り下げ用孔
【図１】
2009234597.tif 000003
【図２】
2009234597.tif 000004
【図３】
2009234597.tif 000005
【図４】
2009234597.tif 000006
【図５】
2009234597.tif 000007
【図６】
2009234597.tif 000008
【図７】
2009234597.tif 000009
【図８】
2009234597.tif 000010
【図９】
2009234597.tif 000011
【図１０】
2009234597.tif 000012
【図１１】
2009234597.tif 000013
【図１２】
2009234597.tif 000014
【図１３】
2009234597.tif 000015
【図１４】
2009234597.tif 000016
【図１５】
2009234597.tif 000017
【図１６】
2009234597.tif 000018
【図１７】
2009234597.tif 000019
【図１８】
2009234597.tif 000020
【図１９】
2009234597.tif 000021
【図２０】
2009234597.tif 000022
【図２１】
2009234597.tif 000023
【図２２】
2009234597.tif 000024
【図２３】
2009234597.tif 000025